(57)【要約】【課題】バストパッドからバストがはみ出すことなくバストの形を美しく整えることができる女性用水着を提供する。【解決手段】水着本体における胸元部分１の前身頃１ａ内側に左右一対のバストパッド４，４が備えられた女性用水着において、左右一対のバストパッド４，４は、その脇側４ａ，４ａが水着上衣１に対して取り付けられただけであるとともに、その中央側４ｂ，４ｂ同士が着脱可能に連結されることを特徴とする。【選択図】      図１
0003110258.tif 000002
【実用新案登録請求の範囲】
【請求項１】
水着本体における胸元部分の前身頃内側に左右一対のバストパッドが備えられたセパレートタイプ若しくはワンピースタイプの女性用水着において、
左右一対のバストパッドは、その脇側が水着本体に対して取り付けられただけであるとともに、その中央側同士が着脱可能に連結されることを特徴とする女性用水着。
【請求項２】
水着本体における胸元部分の前身頃内側に左右一対のバストパッドが備えられ、かつ、前面中央にファスナーが備えられたフロントファスナー式のセパレートタイプ若しくはワンピースタイプの女性用水着において、
左右一対のバストパッドは、その脇側が水着本体に対して取り付けられただけであるとともに、その中央側同士が着脱可能に連結されることを特徴とする女性用水着。
【考案の詳細な説明】
【技術分野】
【０００１】
本考案は、女性用水着、特にバストパッドを有する女性用水着に関するものである。
【背景技術】
【０００２】
従来より女性用の水着においては、着用した時にバストを外見上膨よかに、かつ、形を美しく整えてスタイルアップするためのバストパッドを備えるものがある。
【０００３】
従来のこの種の水着では、略バスト形状に対応した椀型形状に形成されたバストパッドの周辺部をネット状布地からなる保持用布帛の所定箇所に縫い合わせるとともに、保持用布帛の下部にピコレースを縫い合わせ、これらバストパット、保持用布帛、ピコレースを一体として水着本体の胸元部分の前身頃内側に縫い合わせた構造とされていた。
【考案の開示】
【考案が解決しようとする課題】
【０００４】
しかしながら、上記従来の女性用水着では、バストパットの周辺部が水着本体の胸元部分の前身頃に縫い合わされて、バストパッドが水着本体に対してフリーに相対移動できない状態に取り付けられているため、バストパッドがバストの動きに追随し難く、激しい上半身の運動を伴う場合、バストパッドからバストがはみ出したりするような不具合が生じ、着用者に不快感を与えるという欠点があった。特に、着替え易くするために水着本体の前面中央における左右のバットパッド間にファスナー（チャック）を用いたフロントファスナー式の水着では、左右のバストパッドの間隔が広いため、バストが外方に広がり易くてバストの形態を美しく整えることができない。
【０００５】
本考案は、上記の如き欠点を解決するために考案されたもので、バストパッドからバストがはみ出すことなくバストの形を美しく整えることができる女性用水着を提供することを目的とするものである。
【課題を解決するための手段】
【０００６】
上記目的を達成する手段として、本考案は、水着本体における胸元部分の前身頃内側に左右一対のバストパッドが備えられたセパレートタイプ若しくはワンピースタイプの女性用水着において、左右一対のバストパッドは、その脇側が水着本体に対して取り付けられただけであるとともに、その中央側同士が着脱可能に連結されることを特徴とする。
【０００７】
また、本考案は、水着本体における胸元部分の前身頃内側に左右一対のバストパッドが備えられ、かつ、前面中央にファスナーが備えられたフロントファスナー式のセパレートタイプ若しくはワンピースタイプの女性用水着において、左右一対のバストパッドは、その脇側が水着本体に対して取り付けられただけであるとともに、その中央側同士が着脱可能に連結されることを特徴とする。
【０００８】
本考案は、左右一対のバストパッドの脇側を水着本体に対して取り付けただけであるので、脇側以外の部分が前身頃に対してフリーな状態であり、バストパッドがバストの動きに追随し易くなる。
【０００９】
また、左右一対のバストパッドの中央側同士を着脱可能に連結させたので、左右一対のバストパッドの中央側同士を連結する際に、左右一対のバストパッドにより左右のバストを中央側に寄せて持ち上げることができる。しかも、フロントファスナー式の場合、ファスナーの閉じ操作に先立って左右一対のバストパッドの中央側同士を連結させるので、ファスナーがバストに引っ掛かったりせずに容易に閉じることができる。
【考案の効果】
【００１０】
本考案によれば、激しい上半身の運動を伴う場合でもバストパッドからバストがはみ出したりするような不具合が生じないし、左右のバストが中央側に寄せて持ち上げられることができるから、バストパッドからバストがはみ出すことなくバストの形を美しく整えるという所期の目的を達成することができる。
【考案を実施するための最良の形態】
【００１１】
以下、本考案の実施形態について図面に基づいて説明する。図１は、本考案の一実施形態のセパレートタイプの水着の正図面、図２はそれを裏返した要部図面である。
【００１２】
図１及び図２において、１は上半身を被覆する水着本体における水着上衣、２は腰部から太股の途中辺りまでを被覆する水着本体における水着下衣である。水着上衣１及び水着下衣２は、経編み組織により形成された伸縮性を有する布地で作られている。
【００１３】
３は水着上衣１の前面中央に備えられたファスナーであり、水着上衣１はファスナー３の開閉により前面が左右に開閉可能になっており、ファスナー３を開いた状態して上半身に羽織り、胸元でファスナー３を閉じることにより、着用できるので、着脱が容易となる。
【００１４】
４，４は水着上衣１の前身頃１ａの内側に備えられた左右一対のバストパッドであり、布体或いはモールド成形により略バスト形状に対応した椀型形状に形成されている。
【００１５】
バストパッド４，４は、その脇側斜辺部４ａ，４ａを水着上衣１の両脇部１ｂ，１ｂにネット状布地からなる保持用布帛５，５を介して縫い合わせるだけであり、脇側傾斜部４ａ，４ａ以外の部分は水着上衣１の前身頃１ａに対して完全フリーな状態に取り付けられている。
【００１６】
バストパッド４，４は、その中央側角部４ｂ，４ｂ同士がフロントホック６により着脱可能に連結されている。フロントホック６としては、特に限定されないが、ブラジャー等に用いられているワンタッチで着脱が可能な簡易フックが好ましい。
【００１７】
上述した構成からなる本実施形態の水着を着用するときは、例えば、先ず、下半身に水着下衣２を着用した後、水着上衣１のファスナー３を開いた状態して、該水着上衣１を上半身に羽織る。次いで、両バストパッド４，４の中央側角部４ｂ，４ｂ同士をフロットホック６により連結するが、両バストパッド４，４により左右のバストを中央側に寄せて持ち上げるように操作した後、両バストパッド４，４の中央側角部４ｂ，４ｂ同士をフロットホック６により連結させるようにする。次いで、ファスナー３を閉じて上半身に水着上衣１を着用することにより、水着の着用が完了する。
【００１８】
尚、上述の説明では、先ず、下半身に水着下衣２を着用した後、上半身に水着上衣１を着用しているが、これに限定されずに、先ず、上半身に水着上衣１を着用した後、下半身に水着下衣２を着用しても構わない。
【００１９】
本実施形態の水着は、水着上衣１の前身頃１ａ内側にバストパッド４，４をその脇側斜辺部４ａ，４ａだけを水着上衣１の両脇部１ｂ，１ｂに縫い合わせて取り付けるとともに、両バストカップ４，４の中央側角部４ｂ，４ｂ同士をフロントホック6により着脱可能に連結するように構成されている。即ち、バストパッド４はその脇側斜辺部４ａが水着上衣１の脇部１ｂに縫い合わされて取り付けられるだけで脇側傾斜部４ａ以外の部分が水着上衣１の前身頃１ａに対してフリーな状態であり、これによってバストパッド４がバストの動きに追随し易くなることとなり、激しい上半身の運動を伴う場合でもバストパッド４からバストがはみ出したりするような不具合が生じない。
【００２０】
また、両バストカップ４，４の中央側角部４ｂ，４ｂ同士をフロントホック6により着脱可能に連結したことにより、水着上衣１を着用する際に、両バストパッド４，４の中央側角部４ｂ，４ｂ同士をフロントホック６により連結することで、両バストパット４，４により左右のバストが中央側に寄せて持ち上げられることとなり、バストの形が美しく整えられる。
【００２１】
更に、ファスナー３を閉じるに先立ち両バストパッド４，４の中央側角部４ｂ，４ｂ同士をフロントホック６により連結することにより、ファスナー３を閉じる際に、バストがファスナー３に引っ掛かったりせず、容易にファスナー３を閉じることができる。
【００２２】
尚、本実施の形態では、セパレートタイプの水着について説明したが、本考案はセパレートタイプの水着以外にワンピースタイプの水着についても適用することができる。
【００２３】
また、本実施の形態では、前面中央にファスナーを用いたフロントファスナー式の水着について説明したが、前面中央にファスナーを用いない水着でも適用することができる。
【図面の簡単な説明】
【００２４】
【図１】本考案の一実施形態のセパレートタイプの水着の正面図である。
【図２】図１の水着における水着上衣を裏返しにして見た正面図である。
【符号の説明】
【００２５】
１  水着上衣
１ａ  水着上衣の前身頃
１ｂ  水着上衣の脇部
２  水着下衣
３  ファスナー
４  バストパッド
４ａ  バストパッドの脇側傾斜部
４ｂ  バストパッドの中央側角部
５  保持用布帛
６  フロントホック
【図１】
0003110258.tif 000003
【図２】
0003110258.tif 000004